(57)【要約】【課題】商品を取り出す看者へ確実にスリットアニメーションを見せることができ、商品をより魅力的に演出することができる包装容器を提供することを課題とする。【解決手段】蓋体１３０及び収容空間Ｓを有する容器本体１００と、スリットアニメーション手段Ｍを有する仕掛け部材２００と、を備え、仕掛け部材２００は、蓋体１３０と収容空間Ｓとの間に配置されており、スリットアニメーション手段Ｍは、スリットシート２１０と、このスリットシート２１０の下に重ねられる下絵シート２２０と、を有し、蓋体１３０の開閉動作に連動してスリットシート２１０と下絵シート２２０とが相対的にスライドするよう構成されている。【選択図】図２
2018203372.tif 000002
【特許請求の範囲】
【請求項１】
蓋体及び収容空間を有する容器本体と、
スリットアニメーション手段を有する仕掛け部材と、を備え、
前記仕掛け部材は、前記蓋体と前記収容空間との間に配置されており、
前記スリットアニメーション手段は、スリットシートと、このスリットシートの下に重ねられる下絵シートと、を有し、
前記蓋体の開閉動作に連動して前記スリットシートと前記下絵シートとが相対的にスライドするよう構成されていることを特徴とする、包装容器。
【請求項２】
前記スリットアニメーション手段は、前記スリットシート及び前記下絵シートを挟み込んで密着させ前記容器本体の中蓋を形成する中蓋シートをさらに備え、
前記中蓋シートは、前記スリットシートの上側に配置される上側パネルと、前記下絵シートの下側に配置される下側パネルと、を有し、
前記上側パネルには、前記スリットシートを露出させる開口窓が設けられていることを特徴とする、請求項１に記載の包装容器。
【請求項３】
前記スリットアニメーション手段は、前記下絵シートと前記下側パネルの間に設けられる押上シートをさらに備えることを特徴とする、請求項２に記載の包装容器。
【請求項４】
前記中蓋シートは、前記収容空間の深さに対応した長さを有する支持片をさらに有していることを特徴とする、請求項２又は請求項３に記載の包装容器。
【請求項５】
前記支持片は、前記中蓋シートの周縁部に設けられていることを特徴とする、請求項４に記載の包装容器。
【請求項６】
請求項１〜請求項５の何れかに記載の仕掛け部材であって、
前記容器本体に固定される固定面を有していることを特徴とする、仕掛け部材。
【発明の詳細な説明】
【技術分野】
【０００１】
本発明は、スリットアニメーションにより視覚的効果を与える装飾要素を備えた包装容器に関する。
【背景技術】
【０００２】
従来、スリットアニメーションと呼ばれる人間の錯視を利用した動画を提供する手法が知られている。このスリットアニメーションは、複数の画像を一枚に合成した合成画像と、縞模様によって合成画像から一枚一枚の画像を視認させるスリット（隙間）シートとを用い、両者を相対的にスライドさせることで動画を生じさせる手法である。
【０００３】
そして、このスリットアニメーションは、視覚的な効果が高い等の理由から、スリットアニメーションを装飾要素として採用した包装用箱が種々提案されている（例えば、特許文献１や特許文献２）。
【先行技術文献】
【特許文献】
【０００４】
【特許文献１】特開２０１０−１３１１８号公報
【特許文献２】特開２０１０−１３１１９号公報
【発明の概要】
【発明が解決しようとする課題】
【０００５】
ところで、商品は包装（パッケージ）の装飾如何で、看者の商品への印象が大きく異なる。そのため、包装容器をどのように装飾するかは、商品をより魅力的に見せる重要な要素の一つである。特に、包装された状態から商品が手に取られるまで、商品を演出する包装容器の装飾が、看者に十分に認識されるかが重要である。
【０００６】
この点、特許文献１及び特許文献２に記載の包装用箱においては、スリットアニメーションによる装飾と、包装用箱に収納される商品の取り出し口と、が別々に配置されている。そのため、スリットアニメーションによる装飾を見ずとも商品を取り出すことができる。その結果、看者が商品を手に取るまでに、スリットアニメーションによる演出が十分に認識されない場合がある。すなわち、スリットアニメーションによる装飾を確認せずとも商品を取り出すことができ、スリットアニメーションによる演出を十分に行えない場合がある。
【０００７】
そこで本願発明者は、スリットアニメーションを用いて、より魅力的に商品を装飾する方法を検討した結果、演出効果の高いスリットアニメーションを商品が取り出される直前の段階に配置することで、看者にスリットアニメーションの演出を十分に認識させることができると考えた。
【０００８】
また、特許文献１及び特許文献２に記載の包装用箱は、スリットアニメーションの仕掛けが包装用箱と一体に形成された構成となっているため、スリットアニメーションの演出を利用するためには、既存のパッケージを廃して、新パッケージを作り直す必要があった。そのため、本願発明者は、既存の包装箱（パッケージ）に対してもスリットアニメーションを付加したり、スリットアニメーションの演出内容を容易に変更できる構成が望ましいと考えた。
【０００９】
本発明は、上記実情に鑑みてなされた発明であり、商品を取り出す看者へスリットアニメーションを十分に認識させることができ、商品をより魅力的に演出することができる包装容器を提供することを課題とする。
また、本発明は、既存の包装箱に対しても、容易にスリットアニメーション要素を付加することができる仕掛け部材を提供することを課題とする。
【課題を解決するための手段】
【００１０】
上記課題を解決するため、本発明に係る包装容器は、蓋体及び収容空間を有する容器本体と、スリットアニメーション手段を有する仕掛け部材と、を備え、
前記仕掛け部材は、前記蓋体と前記収容空間との間に配置されており、
前記スリットアニメーション手段は、スリットシートと、このスリットシートの下に重ねられる下絵シートと、を有し、前記蓋体の開閉動作に連動して前記スリットシートと前記下絵シートとが相対的にスライドするよう構成されていることを特徴とする。
【００１１】
本発明に係る包装容器によれば、スリットアニメーション手段を有する仕掛け部材が、包装容器の蓋体と収容空間との間に配置されていることにより、看者が収容空間から商品を取り出す際にスリットアニメーションを十分に認識させ、商品の演出を繰り返し行うことができる。
また、包装容器と仕掛け部材とが独立して構成されていることにより、既存の包装箱に対しても、仕掛け部材を取付けるだけで、容易にスリットアニメーション要素を付加して本発明の包装容器を製造することができる。
【００１２】
本発明の好ましい形態では、前記スリットアニメーション手段は、前記スリットシート及び前記下絵シートを挟み込んで密着させ前記容器本体の中蓋を形成する中蓋シートをさらに備え、前記中蓋シートは、前記スリットシートの上側に配置される上側パネルと、前記下絵シートの下側に配置される下側パネルと、を有し、前記上側パネルには、前記スリットシートを露出させる開口窓が設けられていることを特徴とする。
このように、スリットシートと下絵シートを挟み込む中蓋シートを有することで、スリットシートと下絵シートの密着性を向上させ、スリットアニメーションのボケを防止することができる。
また、開口窓よりスリットシートを露出させていることにより、スリットアニメーションが映し出される領域（開口窓）の形状や数をデザインすることができ、演出効果を高めることができる。
【００１３】
本発明の好ましい形態では、前記スリットアニメーション手段は、前記下絵シートと前記下側パネルの間に設けられる押上シートをさらに備えることを特徴とする
このように、押上シートを設けることにより、スリットシートと下絵シートの密着性をさらに向上させることができる。
【００１４】
本発明の好ましい形態では、前記中蓋シートは、前記収容空間の深さに対応した長さを有する支持片をさらに有していることを特徴とする。
このように、中蓋シートに収容空間の深さに対応した支持片を設けることにより、仕掛け部材を収容空間上の適切な高さに位置決めすることができる。
【００１５】
本発明の好ましい形態では、前記支持片は、前記中蓋シートの周縁部に設けられていることを特徴とする。
このように、支持片を中蓋シートの周縁部に設け、支持片を収容空間の側壁に接触させることにより、中蓋シートが面内方向に移動してしまわないよう位置決めすることができる。
【発明の効果】
【００１６】
本発明によれば、商品を取り出す看者へスリットアニメーションを認識させることができ、商品をより魅力的に演出することができる包装容器を提供することができる。
また、本発明は、既存の包装箱に対し、容易にスリットアニメーション要素を付加することができる仕掛け部材を提供することができる。
【図面の簡単な説明】
【００１７】
【図１】本発明の一実施形態に係る包装容器の斜視図である。
【図２】本発明の一実施形態に係る包装容器の分解斜視図である。
【図３】本発明の一実施形態に係る仕掛け部材の構成部材を示す分解斜視図である。
【図４】本発明の一実施形態に係る仕掛け部材の組立手順を示す図である。
【図５】本発明の一実施形態に係る仕掛け部材の組立手順を示す図である。
【図６】本発明の一実施形態に係る仕掛け部材の組立手順を示す図である。
【図７】本発明の一実施形態に係る仕掛け部材の組立手順を示す図である。
【図８】本発明の一実施形態に係る包装容器の縦断面の模式図である。
【図９】本発明の一実施形態に係るスリットアニメーションの説明図である。
【図１０】本発明の一実施形態に係る仕掛け部材のスライド機構の動作を示す図である。
【発明を実施するための形態】
【００１８】
以下、本発明を図面に示した好ましい実施形態について図１〜図１０を用いて詳細に説明する。本発明の技術的範囲は、添付図面に示した実施形態に限定されるものではなく、特許請求の範囲に記載された範囲内において、適宜変更が可能である。
【００１９】
図１及び図２は、本実施形態に係る包装容器Ａの斜視図である。本実施形態に係る包装容器Ａは、被収容物（菓子等の商品）を収容する収容空間Ｓ及びこの収容空間Ｓの上部を覆う蓋体１３０を有した容器本体１００と、この容器本体１００内に設けられ、スリットアニメーション手段Ｍを有する仕掛け部材２００と、を備えている。
【００２０】
なお、本明細書において定義される包装容器Ａの上下（高さ）方向、左右（幅）方向、前後（奥行）方向を図２に図示する。図示のように、包装容器Ａにおける上下（高さ）方向、左右（幅）方向、前後（奥行）方向はそれぞれが互いに直交している。
【００２１】
また、本実施形態の説明にあたり、第一に、容器本体１００及び仕掛け部材２００の構成について説明し、次いで、仕掛け部材２００に設けられたスリットアニメーション手段Ｍについて説明する。
【００２２】
容器本体１００は、底面１１１及び周壁１１２により収容空間Ｓを形成する箱体１１０と、周壁１１２の少なくとも一部に沿って設けられるヒンジ部１２０と、このヒンジ部１２０を介して箱体１１０と回動自在に接続された蓋体１３０と、を有している。
【００２３】
図１（ａ）は、蓋体１３０が閉じられた状態の包装容器Ａを示している。一方、図１（ｂ）は、箱体１１０に対して蓋体１３０が開いた状態の包装容器Ａを示しており、容器本体１００内に配置された仕掛け部材２００が露出されている。
なお、この図１（ａ）に示したように、蓋体１３０が閉じられた状態においては、仕掛け部材２００が蓋体１３０によって完全に覆われ、外部からは視認されないよう構成されていることが望ましい。
【００２４】
なお、本明細書中では、容器本体１００の形状として略直方体形状のものを例示したが、略多角柱形状や略円柱形状，略楕円柱形状等、任意の形状を採用することができる。
【００２５】
図２は、包装容器Ａの分解斜視図であり、容器本体１００に仕掛け部材２００を取り付ける様子を示している。このように、仕掛け部材２００は、蓋体１３０と収容空間Ｓとの間に配置され、収容空間Ｓの上方を覆う中蓋として捉えることもできる。この中蓋（仕掛け部材２００）を持ち上げるように回動させることで、収容空間Ｓ内に収容された被収容物（菓子等の商品）を取り出せるよう構成されている。
なお、この中蓋の大きさは、必ずしも収容空間Ｓの上部全体を覆う必要はなく、少なくとも一部を覆う大きさであればよい。
【００２６】
箱体１１０の周壁１１２は、前壁１１２ａと、奥壁１１２ｂと、左側壁１１２ｃと、右側壁１１２ｄと、を有している。この周壁１１２は、被収容物を収容可能な収容空間Ｓを形成する高さ“Ｈ”が設定されている。
【００２７】
ヒンジ部１２０は、周壁１１２の一部（図においては、奥壁１１２ｂの上辺）に沿って形成されており、このヒンジ部１２０を介して箱体１１０と蓋体１３０とが互いに回動自在にヒンジ接続されている。また、箱体１１０と蓋体１３０とを一体に形成する場合には、折り目を付けるなどしてヒンジ部１２０を形成してもよい。
【００２８】
蓋体１３０は、収容空間Ｓの上部開口を覆うことが可能な大きさ・形状に形成されており、ヒンジ部１２０とは反対側の辺に形成される延長片１３１と、この延長片１３１の端部に設けられる留め片１３２と、を有している。
この留め片１３２は、箱体１１０の前壁１１２ａに設けられた切れ込み１１３に係止されることで、蓋体１３０が開かないよう固定可能に構成されている。なお、この固定手段は一例であり、蓋体１３０の固定には慣用の手段を採用することができる。
【００２９】
図３は、仕掛け部材２００の構成部材を示す分解斜視図である。この仕掛け部材２００は、スリットシート２１０と、このスリットシート２１０の下方に重ねられる下絵シート２２０と、この下絵シート２２０を下方から押し上げる押上シート２３０と、これらを挟み込んで密着させ容器本体１００の中蓋を形成する中蓋シート２４０と、を有している。
なお、この仕掛け部材２００は、容器本体１００に固定される固定面を有しており、仕掛け部材２００を容器本体１００の蓋体１３０等に固定するだけで、本発明に係る包装容器を製造することができるよう構成されている。
【００３０】
スリットシート２１０は、例えばＰＥＴ（ポリエチレンテレフタレート）フィルム等の透明基材上に「黒塗りの帯状領域」を所定間隔で印刷したものであり、帯状の透明部２１１と、帯状の不透明部２１２と、が交互に配列されたシートである（図９（ａ）参照）。
【００３１】
下絵シート２２０は、図３及び図４（ａ）に示すように、合成画像Ｃが表示される表示部２２１Ａを有した表示シート２２１と、この表示シート２２１の一辺に沿って形成される屈曲部２２２と、この屈曲部２２２を介して表示シート２２１と回動可能に接続された回動フラップ２２３と、を有している。なお、本実施形態においては、回動フラップ２２３を蓋体１３０と同様の大きさに形成し、蓋体１３０の裏面側を装飾する第１装飾部２２３Ａを設けた構成を示したが、この回動フラップ２２３を小径に形成し、第１装飾部２２３Ａを設けない構成としてもよい。
また、表示シート２２１の屈曲部２２２周辺には、中蓋シート２４０の接続片２４５を通過させる通過領域２２４を設けてもよい。
【００３２】
押上シート２３０は、略長方形状に形成されており、表示シート２２１の裏面を押し上げる立上部２３１と、表示シート２２１（及びスリットシート２１０）を差し込む差込片２３２と、を有している。
【００３３】
立上部２３１は、押上シート２３０の長辺部分に延設して設けられ、内側方向に折ることで立ち上げられるよう構成されている。
差込片２３２は、表示シート２２１（及びスリットシート２１０）の両側を差し込み可能な間隔に一対形成されている。
なお、立上部２３１を設ける位置としては、相対する２つの差込片２３２よりも左右方向において中心寄りに形成されていることが望ましい。
【００３４】
中蓋シート２４０は、図３及び図４（ｂ）に示す様に、スリットシート２１０の上側に配置される上側パネル２４１と、押上シート２３０（下絵シート２２０）の下側に配置される下側パネル２４２と、下絵シート２２０に中蓋シート２４０を接続する接続フラップ２４３と、を有している。
【００３５】
この中蓋シート２４０は、上側パネル２４１と下側パネル２４２とにより、スリットシート２１０，下絵シート２２０，押上シート２３０を挟み込んで密着させるシートであり、上側パネル２４１と下側パネル２４２とが重ね合わさるように接着される。なお、押上シート２３０を設けない場合には、スリットシート２１０及び下絵シート２２０のみを挟み込んで密着させるため、下側パネル２４２は、下絵シート２２０の下側に配置される。
【００３６】
上側パネル２４１は、スリットシート２１０を露出させる開口窓２４１Ａと、この上側パネル２４１の表面を装飾する第２装飾部２４１Ｂと、この上側パネル２４１を下側パネル２４２に接続する接続片２４５と、箱体１１０の収容空間Ｓに挿入され仕掛け部材２００を支持して位置決めする支持片２４６と、を有している。
【００３７】
開口窓２４１Ａとしては、窓状に形成された開口窓２４１Ａを横に３つ並べたデザインを例示したが、任意の形状・数・配置を採用することができる。すなわち、開口窓２４１Ａの形状・数・配置を、被収容物（商品）に合わせてデザインすることにより、演出効果を向上させることができる。
【００３８】
第２装飾部２４１Ｂは、下絵シート２２０の第１装飾部２２３Ａと関連したデザインとすることにより演出効果をより一層高めることができる。例えば、図１ないし図３においては、第１装飾部２２３Ａから第２装飾部２４１Ｂにかけて、煙突付き家屋のデザインを表示した様子が示されている。
【００３９】
下側パネル２４２は、上側パネル２４１の一辺に折り線２４７を介して接続されており、第３装飾部２４２Ａを有している。この折り線２４７上には、持手部２４８が形成されており、中蓋シート２４０を持ち上げやすいよう構成されている。
また、第３装飾部２４２Ａは、下側パネル２４２の表面側に設けられているため、中蓋シート２４０を持ち上げた際にも装飾が現れ、商品を演出できるよう構成されている。
接続フラップ２４３は、下側パネル２４２の一辺に沿って形成されるヒンジ部２４４を介して下側パネル２４２と回動可能に接続されている。
【００４０】
支持片２４６は、収容空間Ｓの深さ（周壁１１２の高さＨ）に対応した長さ（幅）を有しており、中蓋シート２４０が収容空間Ｓに落ち込まないよう、支持することができるよう構成されている。また、この支持片２４６は、中蓋シート２４０の周縁部に設けられていることにより、周壁１１２と接触して、中蓋シート２４０が面内方向に移動してしまわないよう位置決めしている。すなわち、支持片２４６を設けることにより、蓋体１３０を持ち上げる際などに、中蓋シート２４０が左右方向および上下方向に容易に移動しないよう位置決めすることができる。
【００４１】
次に、図５ないし図７を参照して、仕掛け部材２００の組立手順について説明する。
図５は、中蓋シート２４０に、スリットシート２１０及び押上シート２３０が配置・固定された状態を示している。スリットシート２１０は、上側パネル２４１の裏面側に固定され、開口窓２４１Ａの全体を覆うよう固定されている。押上シート２３０は、下側パネル２４２の裏面側に固定され、スリットシート２１０の左右の両辺が差込片２３２に差込可能な位置に配置される。なお、各シートの固定には、両面テープや接着のり等の慣用の接着手段を用いることができる。
【００４２】
図６は、下絵シート２２０の回動フラップ２２３の下部を、中蓋シート２４０の接続フラップ２４３に重ね合せて接着した状態を示している。
この時、回動フラップ２２３の根元（屈曲部２２２）は、図６に示したように、接続フラップ２４３の根元（ヒンジ部２４４）から距離Ｄ（例えば、３ｍｍ程度）だけずらした位置に接着される。また、表示シート２２１は、押上シート２３０の差込片２３２に差し込まれることが望ましい。
【００４３】
図７は、図６の状態から上側パネル２４１を折り線２４７で折り返して、上側パネル２４１の接続片２４５を下側パネル２４２に接着した状態を示しており、仕掛け部材２００の完成状態を示す図である。
ここで上側パネル２４１の接続片２４５は、下絵シート２２０に設けられた通過領域２２４を通過して、下側パネル２４２の裏面側（第３装飾部２４２Ａの裏側）に固定されている。
【００４４】
次に、完成した仕掛け部材２００を容器本体１００に取り付けた状態の縦断面図を図８に示す。なお、この図８においては、理解を容易にするため、仕掛け部材２００の上下方向に厚みがあるように図示されているが、実際には薄い平板状に形成される。
【００４５】
この仕掛け部材２００を容器本体１００に取り付ける場合には、回動フラップ２２３の裏面側を固定面とし、容器本体１００の蓋体１３０の裏面に固定されている。その際、仕掛け部材２００のヒンジ部２４４と容器本体１００のヒンジ部１２０とが一致するよう位置合わせをして固定される。その結果、蓋体１３０の回動に伴い、接続フラップ２４３が同様の軌道で回動するよう構成される。
【００４６】
最後に、図９及び図１０を参照して本実施形態に係るスリットアニメーション手段Ｍについて詳細に説明する。このスリットアニメーション手段Ｍは、蓋体１３０の開閉動作に連動して下絵シート２２０に設けられた合成画像Ｃとスリットシート２１０とが相対的にスライドするよう構成されている。このスリットシート２１０と下絵シート２２０を利用して、パラパラ漫画に類似する原理で、あたかも絵が動いているような（動画が生じているような）視覚的効果を付与する機能を有している。
【００４７】
図９は、スリットシート２１０及び合成画像Ｃにより再現される、スリットアニメーション手段Ｍの原理を説明する図である。
図９（ａ）は、複数の分解画像が合成された合成画像Ｃと、帯状の透明部２１１及び不透明部２１２が交互に配列されたスリットシート２１０を示している。
【００４８】
この合成画像Ｃに用いられる分解画像の例として、図９（ｂ）に第１の分解画像Ｃ１を，図９（ｃ）に第２の分解画像Ｃ２を，図９（ｄ）に第３の分解画像Ｃ３を、それぞれ示す。
ここで、各分解画像（Ｃ１ないしＣ３）は、それぞれ幅Ｌの表示部Ｐと、幅２Ｌの欠け部Ｑを有しており、第１の分解画像Ｃ１の欠け部Ｑに、第２の分解画像Ｃ２及び第３の分解画像Ｃ３の表示部Ｐが配置されることで、合成画像Ｃが形成されている。
また、スリットシート２１０の透明部２１１は表示部Ｐに対応した幅Ｌを有し、不透明部２１２は欠け部Ｑに対応した幅２Ｌを有している。
【００４９】
図９（ｅ）は、スリットシート２１０を表示シート２２１の合成画像Ｃ上に重ね合わせ、スリットシート２１０及び表示シート２２１を相対的にスライドさせる様子を示す図である。
【００５０】
不透明部２１２は、幅２Ｌ分の表示部Ｐを覆うため、看者が視認できる表示部Ｐは１つの分解画像に限られる。ここでスリットシート２１０が幅Ｌ分だけスライドすると、看者が視認できる分解画像が変更され、あたかも絵柄がその場で変わったかのように感じられる。このように、スリットシート２１０を表示シート２２１との相対的なスライド動作を適度な速度で行うことにより、人間の目には、あたかもサンタが走っているような動画を生じさせる視覚的効果が得られる。
【００５１】
なお、スリットアニメーションに関する技術自体は公知のものであり、ここでの詳しい説明は省略するが、合成画像Ｃに組み込まれる分解画像の数を３以上にすることも可能である。
【００５２】
図１０を参照して、表示シート２２１がスライドする機構について説明する。この図１０は、蓋体１３０及び接続フラップ２４３が開状態に移行するに伴い、合成画像Ｃが表示された表示シート２２１を前後方向にスライド移動させる様子を示している。なお、このスライド機構の理解を容易にするため、図１０においては、下絵シート２２０と中蓋シート２４０のみを示している。
【００５３】
図１０（ａ）は接続フラップ２４３の開角度が小さい状態を、図１０（ｂ）は開角度が中程度の状態を、図１０（ｃ）は開角度が大きい状態を、それぞれ示している。
接続フラップ２４３の開角度が小さい図１０（ａ）においては、表示シート２２１の根元（屈曲部２２２）が、接続フラップ２４３の根元（ヒンジ部２４４）よりも、前側（正面側）に位置しているため、表示シート２２１は前側に配置されている。
ここから、接続フラップ２４３の開角度が大きくなるしたがって、表示シート２２１の根元（屈曲部２２２）が、接続フラップ２４３の根元（ヒンジ部２４４）よりも、後側（背面側）に移動する。その結果、表示シート２２１が後ろ方向へスライド移動することとなる。
また、商品を取り出すために中蓋シート２４０を持ち上げる際にも、表示シート２２１がスライド移動するため、蓋体１３０を開ける際と、中蓋（仕掛け部材２００）を持ち上げる際に、スリットアニメーションが看者の視認されることとなる。
【００５４】
本発明に係る包装容器Ａによれば、スリットアニメーション手段Ｍを有する仕掛け部材２００が、包装容器Ａの蓋体１３０と収容空間Ｓとの間に配置されていることにより、被収容対象である商品を効果的に演出することができる。すなわち、仕掛け部材２００を、容器本体１００の中蓋にあたる位置（収容空間Ｓの直上）に配置したことにより、看者が収容空間Ｓから商品を取り出すためには、蓋体１３０を開けスリットアニメーションを鑑賞し、その後、さらに中蓋（仕掛け部材２００）を持ち上げる必要がある。そのため、商品に到達するまでに、確実にスリットアニメーションを看者が閲覧させ、商品を演出することができる。また、中蓋（仕掛け部材２００）を持ち上げる際にも、表示シート２２１がスライド移動するため、スリットアニメーションの視覚的効果が得られる。
このように、スリットアニメーション手段を有する仕掛け部材が、包装容器の蓋体と収容空間との間に配置されていることにより、看者が収容空間から商品を取り出す際にスリットアニメーションを十分に認識させ、商品の演出を繰り返し行うことができる。
【００５５】
また、本発明に係る包装容器Ａは、容器本体１００に仕掛け部材２００を取付ける構成となっているため、従来の箱型容器に対しても容易に適用することができる。すなわち、既に、決まったデザインで容器本体１００を製造・販売している場合には、仕掛け部材２００のみを新たに用意するだけで、演出効果の高いスリットアニメーションを付加して、本発明に係る包装容器Ａとすることができる。そのため、全体として製造コストを削減することができる。
また、演出を変更したい場合には、容器本体１００に取り付ける仕掛け部材２００を取り換えるだけで、スリットアニメーションの演出を変更することができる。
【００５６】
なお、本実施形態においては、仕掛け部材２００が収容空間Ｓの上方全てを覆う大きさに形成されているが、必ずしもそうである必要はなく、例えば、収容空間Ｓの上方半分を覆う大きさに形成する等、デザインによって適宜変更することが可能である。
【符号の説明】
【００５７】
Ａ  包装容器
１００  容器本体
１１０  箱体
１２０  ヒンジ部
１３０  蓋体
２００  仕掛け部材
２１０  スリットシート
２２０  下絵シート
２３０  押上シート
２４０  中蓋シート
Ｓ  収容空間
Ｃ  合成画像
Ｃ１，Ｃ２，Ｃ３  分解画像
【図１】
2018203372.tif 000003
【図２】
2018203372.tif 000004
【図３】
2018203372.tif 000005
【図４】
2018203372.tif 000006
【図５】
2018203372.tif 000007
【図６】
2018203372.tif 000008
【図７】
2018203372.tif 000009
【図８】
2018203372.tif 000010
【図９】
2018203372.tif 000011
【図１０】
2018203372.tif 000012
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
蓋体及び収容空間を有する容器本体と、
スリットアニメーション手段を有する仕掛け部材と、を備え、
前記仕掛け部材は、前記蓋体と前記収容空間との間に配置されており、
前記スリットアニメーション手段は、スリットシートと、このスリットシートの下に重ねられる下絵シートと、前記スリットシート及び前記下絵シートを挟み込んで密着させ前記容器本体の中蓋を形成する中蓋シートと、を有し、
前記中蓋シートは、前記スリットシートの上側に配置される上側パネルと、前記下絵シートの下側に配置される下側パネルと、を有し、
前記上側パネルには、前記スリットシートを露出させる開口窓が設けられており、
前記蓋体の開閉動作に連動して前記スリットシートと前記下絵シートとが相対的にスライドするよう構成されていることを特徴とする、包装容器。
【請求項２】
前記スリットアニメーション手段は、前記下絵シートと前記下側パネルの間に設けられる押上シートをさらに備えることを特徴とする、請求項１に記載の包装容器。
【請求項３】
前記中蓋シートは、前記収容空間の深さに対応した長さを有する支持片をさらに有していることを特徴とする、請求項１又は請求項２に記載の包装容器。
【請求項４】
前記支持片は、前記中蓋シートの周縁部に設けられていることを特徴とする、請求項３に記載の包装容器。
【請求項５】
請求項１〜請求項４の何れかに記載の仕掛け部材であって、
前記容器本体に固定される固定面を有していることを特徴とする、仕掛け部材。
【手続補正書】
【提出日】平成29年11月29日(2017.11.29)
【手続補正１】
【補正対象書類名】特許請求の範囲
【補正対象項目名】請求項５
【補正方法】変更
【補正の内容】
【請求項５】
請求項１〜請求項４の何れかに記載の包装容器における仕掛け部材であって、
前記容器本体に固定される固定面を有していることを特徴とする、仕掛け部材。